(57)【特許請求の範囲】
【請求項１】
スピンドルモーターによって回転されるディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、
上記対物レンズ駆動装置は、
少なくとも一部が上記移動ベースに固定された固定ブロックと、
上記ディスク状記録媒体の略半径方向に離隔して配置された二つの対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させマグネットとフォーカスコイルを有するフォーカス調整用磁気回路と、
上記可動ブロックを上記トラッキング方向へ動作させマグネットとトラッキングコイルを有するトラッキング調整用磁気回路とを備え、
上記可動ブロックが上記固定ブロックに対して動作されるときに上記フォーカス調整用磁気回路又は上記トラッキング調整用磁気回路に発生する力の中心である駆動中心に対して、上記二つの対物レンズの各中心間の中点が上記ディスクテーブルに装着された上記ディスク状記録媒体の半径方向において該ディスク状記録媒体の中心側に近付いて位置するように上記二つの対物レンズを配置した
ことを特徴とする光ピックアップ。
【請求項２】
上記ディスク状記録媒体の中心に近い側に配置された上記対物レンズの重量を上記ディスク状記録媒体の中心に遠い側に配置された上記対物レンズの重量より小さくした
ことを特徴とする請求項１に記載の光ピックアップ。
【請求項３】
上記可動ブロックに上記フォーカスコイル及び上記トラッキングコイルを取り付け、
上記可動ブロックにバランサーを取り付けて、上記可動ブロックと上記フォーカスコイルと上記トラッキングコイルの全体の重心の位置と、上記駆動中心の位置とをタンジェンシャル方向において略一致させた
ことを特徴とする請求項１に記載の光ピックアップ。
【請求項４】
ディスク状記録媒体が装着されスピンドルモーターによって回転されるディスクテーブルと該ディスクテーブルに装着される上記ディスク状記録媒体に対してレーザー光を照射する光ピックアップとを備え、該光ピックアップが上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
少なくとも一部が上記移動ベースに固定された固定ブロックと、
上記ディスク状記録媒体の略半径方向に離隔して配置された二つの対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させマグネットとフォーカスコイルを有するフォーカス調整用磁気回路と、
上記可動ブロックを上記トラッキング方向へ動作させマグネットとトラッキングコイルを有するトラッキング調整用磁気回路とを備え、
上記可動ブロックが上記固定ブロックに対して動作されるときに上記フォーカス調整用磁気回路又は上記トラッキング調整用磁気回路に発生する力の中心である駆動中心に対して、上記二つの対物レンズの各中心間の中点が上記ディスクテーブルに装着された上記ディスク状記録媒体の半径方向において該ディスク状記録媒体の中心側に近付いて位置するように上記二つの対物レンズを配置した
ことを特徴とするディスクドライブ装置。
【発明の詳細な説明】
【技術分野】
【０００１】
本発明は光ピックアップ及びディスクドライブ装置に関する。詳しくは、駆動中心に対して二つの対物レンズの各中心間の中点をディスク状記録媒体の中心側に近付くように二つの対物レンズを配置してスピンドルモーターの良好な特性を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベースに配置された対物レンズ駆動装置とを備え、該対物レンズ駆動装置は、固定ブロックと該固定ブロックに金属製のワイヤー等の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップには、種類の異なるディスク状記録媒体に対応して対物レンズ駆動装置に二つの対物レンズが設けられたものがある。例えば、一方の対物レンズがＤＶＤ（Digital Versatile Disc）とＣＤ（Compact Disc）に対応して設けられ、他方の対物レンズがＢＤ（Blu-ray Disc）に対応して設けられる。
【０００６】
二つの対物レンズを備えた対物レンズ駆動装置には、二つの対物レンズがディスク状記録媒体の記録トラックの接線方向（タンジェンシャル方向）に離隔して配置されたタイプが存在するが、このようなタイプの対物レンズ駆動装置にあっては、可動ブロックに、ディスク状記録媒体の記録面に対する半径方向（ラジアル方向）の傾き（スキュー）が発生し易いと言う欠点がある。
【０００７】
そこで、二つの対物レンズを備えた対物レンズ駆動装置として、二つの対物レンズがラジアル方向に離隔して配置されたタイプが存在する（例えば、特許文献１参照）。
【０００８】
【特許文献１】特開平１１−１２０５７２号公報
【発明の開示】
【発明が解決しようとする課題】
【０００９】
ところが、特許文献１に記載された対物レンズ駆動装置のように、二つの対物レンズがラジアル方向に離隔して配置されている場合には、ディスク状記録媒体の中心に対して外側に配置されている対物レンズをディスク状記録媒体の記録面における内周側に移動させたときに、ディスク状記録媒体の中心に対して内側に配置されている対物レンズがスピンドルモーターと干渉し易いため、その分、スピンドルモーターを小型化する必要があり、スピンドルモーターに必要な特性、例えば、十分な高速回転性能を確保することができなくなるおそれがある。
【００１０】
このような不具合を解消するために、対物レンズ駆動装置の全体を移動ベースに対してディスク状記録媒体の中心側に近付けて配置することが考えられるが、この場合には固定ブロックもディスク状記録媒体の中心に近付いて配置されてしまうため、固定ブロックがスピンドルモーターと干渉し易く、やはり、スピンドルモーターを小型化する必要が生じ得る。
【００１１】
そこで、本発明光ピックアップ及びディスクドライブ装置は、上記した問題点を克服し、スピンドルモーターの良好な特性を確保することを課題とする。
【課題を解決するための手段】
【００１２】
光ピックアップ及びディスクドライブ装置は、上記した課題を解決するために、対物レンズ駆動装置に、少なくとも一部が移動ベースに固定された固定ブロックと、ディスク状記録媒体の略半径方向に離隔して配置された二つの対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを設け、可動ブロックが固定ブロックに対して動作されるときにフォーカス調整用磁気回路又はトラッキング調整用磁気回路に発生する力の中心である駆動中心に対して、二つの対物レンズの各中心間の中点がディスクテーブルに装着されたディスク状記録媒体の半径方向において該ディスク状記録媒体の中心側に近付いて位置するように二つの対物レンズを配置したものである。
【００１３】
従って、光ピックアップ及びディスクドライブ装置にあっては、ディスク状記録媒体の半径方向におけるディスク状記録媒体の中心と二つの対物レンズの各中心間の中点との距離が、ディスク状記録媒体の半径方向におけるディスク状記録媒体の中心と駆動中心との距離より短くされる。
【発明の効果】
【００１４】
本発明光ピックアップは、スピンドルモーターによって回転されるディスクテーブルに装着されるディスク状記録媒体の半径方向へ移動される移動ベースと該移動ベースに配置された対物レンズ駆動装置とを備えると共にディスクテーブルに装着されたディスク状記録媒体に対してレーザー光を照射する光ピックアップであって、対物レンズ駆動装置は、少なくとも一部が移動ベースに固定された固定ブロックと、ディスク状記録媒体の略半径方向に離隔して配置された二つの対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックが固定ブロックに対して動作されるときにフォーカス調整用磁気回路又はトラッキング調整用磁気回路に発生する力の中心である駆動中心に対して、二つの対物レンズの各中心間の中点がディスクテーブルに装着されたディスク状記録媒体の半径方向において該ディスク状記録媒体の中心側に近付いて位置するように二つの対物レンズを配置したことを特徴とする。
【００１５】
従って、ディスク状記録媒体の中心に対して外側に配置されている対物レンズがディスク状記録媒体の記録面における内周側に移動された状態においても固定ブロックがスピンドルモーターと干渉し難く、その分、大型のスピンドルモーターを用いることが可能となり、スピンドルモーターの良好な特性を確保することができる。
【００１６】
請求項２に記載した発明にあっては、ディスク状記録媒体の中心に近い側に配置された対物レンズの重量をディスク状記録媒体の中心に遠い側に配置された対物レンズの重量より小さくしたので、可動ブロックにラジアル方向におけるスキューが発生し難く、光ピックアップの良好な動作特性を確保することができる。
【００１７】
請求項３に記載した発明にあっては、可動ブロックにフォーカスコイル及びトラッキングコイルを取り付け、可動ブロックにバランサーを取り付けて、可動ブロックとフォーカスコイルとトラッキングコイルの全体の重心の位置と、駆動中心の位置とをタンジェンシャル方向において略一致させたので、可動ブロックのラジアル方向におけるスキューの発生を防止することができ、光ピックアップの良好な動作特性を確保することができる。
【００１８】
本発明ディスクドライブ装置は、ディスク状記録媒体が装着されスピンドルモーターによって回転されるディスクテーブルと該ディスクテーブルに装着されるディスク状記録媒体に対して対物レンズを介してレーザー光を照射する光ピックアップとを備え、該光ピックアップがディスクテーブルに装着されるディスク状記録媒体の半径方向へ移動される移動ベースと該移動ベースに配置された対物レンズ駆動装置とを有するディスクドライブ装置であって、対物レンズ駆動装置は、少なくとも一部が移動ベースに固定された固定ブロックと、ディスク状記録媒体の略半径方向に離隔して配置された二つの対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックが固定ブロックに対して動作されるときにフォーカス調整用磁気回路又はトラッキング調整用磁気回路に発生する力の中心である駆動中心に対して、二つの対物レンズの各中心間の中点がディスクテーブルに装着されたディスク状記録媒体の半径方向において該ディスク状記録媒体の中心側に近付いて位置するように二つの対物レンズを配置したことを特徴とする。
【００１９】
従って、ディスク状記録媒体の中心に対して外側に配置されている対物レンズがディスク状記録媒体の記録面における内周側に移動された状態においても固定ブロックがスピンドルモーターと干渉し難く、その分、大型のスピンドルモーターを用いることが可能となり、スピンドルモーターの良好な特性を確保することができる。
【発明を実施するための最良の形態】
【００２０】
以下に、本発明光ピックアップ及びディスクドライブ装置の最良の形態を添付図面を参照して説明する。
【００２１】
ディスクドライブ装置１は、外筐２の内部に所要の各部材及び各機構が配置されて成り（図１参照）、外筐２には図示しないディスク挿入口が形成されている。
【００２２】
外筐２の内部には図示しないシャーシが配置され、該シャーシに取り付けられたスピンドルモーター３のモーター軸にディスクテーブル３ａが固定されている。
【００２３】
シャーシには、平行なガイド軸４、４が取り付けられると共に図示しない送りモーターによって回転されるリードスクリュー５が支持されている。
【００２４】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２５】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３ａに装着されたディスク状記録媒体１００の半径方向（ラジアル方向）へ移動される。
【００２６】
ディスク状記録媒体１００としては、例えば、ＤＶＤ（Digital Versatile Disc）とＣＤ（Compact Disc）に加え、ＢＤ（Blu-ray Disc）が用いられる。これらの各ディスク状記録媒体１００のレーザー光の使用波長は、ＤＶＤが約６６０ｎｍ、ＣＤが約７８０ｎｍ、ＢＤが約４０５ｎｍである。
【００２７】
対物レンズ駆動装置８はベース部材９と固定ブロック１０と該固定ブロック１０に対して動作される可動ブロック１１とを有している（図２及び図３参照）。
【００２８】
ベース部材９は磁性金属材料によって形成され、上下方向を向く平板状のベース部９ａと該ベース部９ａの前後両縁からそれぞれ直角に立ち曲げられたヨーク部９ｂ、９ｃ、９ｃとベース部９ａの左右両側縁からそれぞれ直角に立ち曲げられた側壁部９ｄ、９ｄとから成る。ヨーク部９ｂとヨーク部９ｃ、９ｃは前後方向、即ち、ディスク状記録媒体１００のタンジェンシャル方向に離隔して設けられ、ヨーク部９ｃ、９ｃは左右方向、即ち、ディスク状記録媒体１００の半径方向に離隔して設けられている。
【００２９】
ヨーク部９ｂとヨーク部９ｃ、９ｃの互いに対向する面には、それぞれマグネット１２、１２、１２が取り付けられている。
【００３０】
固定ブロック１０は上下方向を向くベース面部１３と該ベース面部１３の各部分から上方へ突出された立壁部１４、１４、・・・と所定の立壁部１４から後方へ突出された弾性変形部１５、１５と該弾性変位部１５、１５の後端部に連続され前後方向を向く変位部１６と弾性変位部１５、１５間に位置され立壁部１４から後方へ突出された突出部１７とを有してを有している。
【００３１】
突出部１７の後端部にはヨーク１８とマグネット１９が前後で結合された状態で取り付けられている。
【００３２】
固定ブロック１０は、例えば、立壁部１４、１４の一部が移動ベース７に接着や半田付け等により固定されている。
【００３３】
弾性変形部１５、１５は前後方向に長く上下に扁平な板状に形成されている。
【００３４】
変位部１６の左右方向における中央部にはスキュー用コイル２０が取り付けられ、該スキュー用コイル２０はマグネット１９に対向して位置されている。変位部１６の左右両端部にはそれぞれ三つずつの支持バネ２１、２１、・・・の各後端部が連結されている。支持バネ２１、２１、・・・は導電性金属材料によって、例えば、ワイヤー状又は板状に形成されている。
【００３５】
固定ブロック１０に取り付けられたヨーク１８及びマグネット１９と変位部１６に取り付けられたスキュー用コイル２０とによってタンジェンシャルスキュー用磁気回路５０が構成される。
【００３６】
可動ブロック１１はレンズホルダー２２と該レンズホルダー２２に保持された対物レンズ２３、２４とを有している。
【００３７】
レンズホルダー２２の前端部には左右に離隔して上下に貫通された光透過孔２２ａ、２２ａが形成されている。レンズホルダー２２の左右両側面にはそれぞれ外方へ突出された連結用突部２２ｂ、２２ｂが設けられている。レンズホルダー２２には上下に貫通されたマグネット挿通孔２２ｃ、２２ｄ、２２ｄが形成され、該マグネット挿通孔２２ｃとマグネット挿通孔２２ｄ、２２ｄは光透過孔２２ａ、２２ａの後方において前後に離隔して位置されている。
【００３８】
対物レンズ２３、２４はディスク状記録媒体１００の半径方向（ラジアル方向）に離隔して配置され、光透過孔２２ａ、２２ａを上側から覆う状態でレンズホルダー２２に取り付けられて該レンズホルダー２２に保持される。対物レンズ２３は、例えば、ＤＶＤとＣＤの使用波長のレーザー光を集光する機能を有し、対物レンズ２４は、例えば、ＢＤの使用波長のレーザー光を集光する機能を有する。
【００３９】
ディスク状記録媒体１００の中心に近い側に位置する対物レンズ２３は、例えば、透明な樹脂材料によって形成され、ディスク状記録媒体１００の中心に遠い側に位置する対物レンズ２４は、例えば、透明なガラス材料によって形成されている。従って、対物レンズ２３は対物レンズ２４より軽量とされており、例えば、対物レンズ２３の重量は対物レンズ２４の重量の約３分の１とされている。
【００４０】
レンズホルダー２２の連結用突部２２ｂ、２２ｂにはそれぞれ三つずつの支持バネ２１、２１、・・・の前端部が連結されている。従って、可動ブロック１１は支持バネ２１、２１、・・・によって固定ブロック１０と連結されて中空に保持される。
【００４１】
レンズホルダー２２にはコイル体２５が取り付けられる。コイル体２５は可動ブロック１１をフォーカス方向へ動作させるためのフォーカスコイル２６、２６と可動ブロック１１をトラッキング方向へ動作させるためのトラッキングコイル２７、２７、２７とから成る。フォーカスコイル２６、２６は左右で結合され、トラッキングコイル２７、２７、２７はフォーカスコイル２６、２６の前面に左右に並ぶようにして取り付けられている。フォーカス方向はディスク状記録媒体１００に離接する方向（図３に示すＦ方向）、即ち、上下方向であり、トラッキング方向はディスク状記録媒体１００の半径方向（図３に示すＴＲ方向）、即ち、左右方向である。また、フォーカス方向及びトラッキング方向にともに直交する方向がディスク状記録媒体１００の記録トラックの接線方向であるタンジェンシャル方向（図３に示すＴＡＮ方向）、即ち、前後方向とされる。
【００４２】
コイル体２５はフォーカスコイル２６、２６がマグネット挿通孔２２ｄ、２２ｄに対応した状態でレンズホルダー２２の下面に取り付けられ、トラッキングコイル２７、２７、２７はマグネット挿通孔２２ｃとマグネット挿通孔２２ｄ、２２ｄの間に位置される。
【００４３】
コイル体２５が取り付けられた可動ブロック１１が支持バネ２１、２１、・・・に支持された状態においては、コイル体２５のフォーカスコイル２６、２６の内部にそれぞれベース部材９のヨーク部９ｃ、９ｃと該ヨーク部９ｃ、９ｃに取り付けられたマグネット１２、１２とが挿入され、トラッキングコイル２７、２７、２７がベース部材９のヨーク部９ｂに取り付けられたマグネット１２に対向して位置される。このときヨーク部９ｃ、９ｃとこれに取り付けられたマグネット１２、１２の上方にはそれぞれレンズホルダー２２のマグネット挿通孔２２ｄ、２２ｄが位置され、ヨーク部９ｂとこれに取り付けられたマグネット１２の上方にはレンズホルダー２２のマグネット挿通孔２２ｃが位置される。
【００４４】
ベース部材９と該ベース部材９に取り付けられたマグネット１２、１２、１２とコイル体２５のフォーカスコイル２６、２６とによってフォーカス調整用磁気回路６０が構成され、ベース部材９と該ベース部材９に取り付けられたマグネット１２、１２、１２とコイル体２５のトラッキングコイル２７、２７、２７とによってトラッキング調整用磁気回路７０が構成される。
【００４５】
コイル体２５が取り付けられた状態における可動ブロック１１の駆動中心、即ち、可動ブロック１１が固定ブロック１０に対して動作されるときにフォーカス調整用磁気回路６０又はトラッキング調整用磁気回路７０に発生する力の中心である駆動中心Ｐは、図４に示すように、例えば、レンズホルダー２２のマグネット挿通孔２２ｃとマグネット挿通孔２２ｄ、２２ｄの間で、かつ、マグネット挿通孔２２ｄ、２２ｄの間に存在する。
【００４６】
対物レンズ２３、２４は各中心間の中点Ｍがディスク状記録媒体１００の半径方向において駆動中心Ｐに対してディスク状記録媒体１００の中心に近い位置に存在する。従って、中点Ｍはディスク状記録媒体１００の半径方向において距離ａだけ駆動中心Ｐに対してディスク状記録媒体１００の中心側へシフトして位置されている。
【００４７】
レンズホルダー２８には、例えば、下面における右端部にバランサー２８が取り付けられている。
【００４８】
上記のように、対物レンズ２３、２４は、ディスク状記録媒体１００の半径方向において中点Ｍが駆動中心Ｐよりディスク状記録媒体１００の中心に近い位置に存在するようにレンズホルダー２２に配置されている。従って、可動ブロック１１とコイル体２５の全体の重心はディスク状記録媒体１００の中心側へ偏倚し易いが、レンズホルダー２８にバランサー２８が取り付けられることにより、可動ブロック１１とコイル体２５にバランサー２８を含めた全体の重心Ｇと駆動中心Ｐがタンジェンシャル方向において略一致されている。
【００４９】
尚、対物レンズ駆動装置８にあっては、上記したように、ディスク状記録媒体１００の中心に近い側に位置する対物レンズ２３の重量がディスク状記録媒体１００の中心に遠い側に位置する対物レンズ２４の重量より小さくされている。従って、対物レンズ２３、２４の重量比及び両者の位置関係によっては、可動ブロック１１とコイル体２５の全体の重心Ｇと駆動中心Ｐをタンジェンシャル方向において略一致させることが可能である。この場合には、特に、バランサー２８をレンズホルダー２２に取り付ける必要がない。
【００５０】
図示しない電源回路からフォーカスコイル２６、２６又はトラッキングコイル２７、２７、２７に駆動電流が供給されると、これらの駆動電流の向きとマグネット１２、１２、１２及びヨーク部９ｂ、９ｃ、９ｃにより発生する磁束の方向とに応じた向きの力が発生し、可動ブロック１１がフォーカス方向又はトラッキング方向へ移動される。
【００５１】
可動ブロック１１がフォーカス方向又はトラッキング方向へ動作されるときには、支持バネ２１、２１、・・・が弾性変形される。
【００５２】
以上のようにして構成されたディスクドライブ装置１において、スピンドルモーター３の回転に伴ってディスクテーブル３ａが回転されると、該ディスクテーブル３ａに装着されたディスク状記録媒体１００が回転され、同時に、光ピックアップ６がディスク状記録媒体１００の半径方向へ移動されて該ディスク状記録媒体１００に対する記録動作又は再生動作が行われる。
【００５３】
この記録動作及び再生動作において、フォーカスコイル２６、２６に駆動電流が供給されると、上記したように、対物レンズ駆動装置８の可動ブロック１１が固定ブロック１０に対して図３に示すフォーカス方向Ｆ−Ｆへ動作され、移動ベース７に設けられた図示しない半導体レーザーから出射され対物レンズ２３、２４を介して照射されるレーザー光のスポットがディスク状記録媒体１００の記録面に集光するようにフォーカス調整が行われる。
【００５４】
また、トラッキングコイル２７、２７、２７に駆動電流が供給されると、上記したように、対物レンズ駆動装置８の可動ブロック１１が固定ブロック１０に対して図３に示すトラッキング方向ＴＲ−ＴＲへ動作され、半導体レーザーから出射され対物レンズ２３、２４を介して照射されるレーザー光のスポットがディスク状記録媒体１００の記録トラック上に集光するようにトラッキング調整が行われる。
【００５５】
一方、電源回路からスキュー用コイル２０に駆動電流が供給されると、これらの駆動電流の向きとマグネット１９及びヨーク１８より発生する磁束の方向とに応じた向きの力が発生し、弾性変形部１５、１５が上下方向へ撓んで変位部１６が固定ブロック１０に対して略上下方向へ変位される。変位部１６が略上下方向へ変位されると、該変位部１６に支持バネ２１、２１、・・・を介して連結されている可動ブロック１１が変位部１６の変位に伴ってトラッキング方向に直交する面内において移動され、光軸がディスク状記録媒体１００の記録面に垂直となるようにタンジェンシャル方向のスキュー調整が行われる。
【００５６】
また、可動ブロック１１に取り付けられたコイル体２５のフォーカスコイル２６、２６に供給する駆動電流の量を左右で変化させたり、フォーカスコイル２６、２６に逆方向への駆動電流を供給することにより、タンジェンシャル方向の軸を中心とした回転方向に可動ブロック１１を移動させて、光軸がディスク状記録媒体１００の記録面に垂直となるようにラジアル方向のスキュー調整を行うことが可能である。
【００５７】
以上に記載した通り、光ピックアップ６にあっては、コイル体２５が取り付けられた状態における可動ブロック１１の駆動中心Ｐに対して対物レンズ２３、２４の各中心間の中点Ｍがディスク状記録媒体１００の半径方向において該ディスク状記録媒体１００の中心に近い位置に存在するように対物レンズ２３、２４が配置されている。
【００５８】
従って、ディスク状記録媒体１００の中心に対して外側に配置されている対物レンズ２４がディスク状記録媒体１００の記録面における内周側に移動された状態においても固定ブロック１０がスピンドルモーター３と干渉し難く、その分、大型のスピンドルモーター３を用いることが可能となり、スピンドルモーター３の良好な特性を確保することができる。
【００５９】
また、ディスク状記録媒体１００の中心に近い側に配置された対物レンズ２３の重量がディスク状記録媒体１００の中心に遠い側に配置された対物レンズ２４の重量より小さくされているため、可動ブロック１１にラジアル方向におけるスキューが発生し難く、対物レンズ駆動装置８の良好な動作特性を確保することが可能である。
【００６０】
さらに、可動ブロック１１にバランサー２８を取り付けて、該バランサー２８を含む可動ブロック１１とフォーカスコイル２６、２６とトラッキングコイル２７、２７、２７の全体の重心の位置と、駆動中心Ｐの位置をタンジェンシャル方向において略一致させているため、可動ブロック１１のラジアル方向におけるスキューの発生を防止することができ、対物レンズ駆動装置８の良好な動作特性を確保することができる。
【００６１】
尚、上記には、固定ブロック１０に対して移動可能な変位部１６とレンズホルダー２２にそれぞれスキュー用コイル２０とコイル体２５を取り付けた所謂ムービングコイル型の対物レンズ駆動装置８を例として示したが、逆に、変位部１６とレンズホルダー２２にそれぞれマグネットを取り付けた所謂ムービングマグネット型の対物レンズ駆動装置とすることも可能である。
【００６２】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００６３】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６４】
【図１】図２乃至図４と共に本発明光ピックアップ及びディスクドライブ装置を実施するための最良の形態を示すものであり、本図はディスクドライブ装置の概略斜視図である。
【図２】対物レンズ駆動装置を示す分解斜視図である。
【図３】対物レンズ駆動装置を示す拡大斜視図である。
【図４】駆動中心と対物レンズの各中心間の中点との位置関係を示す概略平面図である。
【符号の説明】
【００６５】
１…ディスクドライブ装置、３…スピンドルモーター、３ａ…ディスクテーブル、６…光ピックアップ、７…移動ベース、８…対物レンズ駆動装置、１０…固定ブロック、１１…可動ブロック、１２…マグネット、２１…支持バネ、２３…対物レンズ、２４…対物レンズ、２６…フォーカスコイル、２７…トラッキングコイル、２８…バランサー、６０…フォーカス調整用磁気回路、７０…トラッキング調整用磁気回路、１００…ディスク状記録媒体
【図１】
0005067052.tif 000002
【図２】
0005067052.tif 000003
【図３】
0005067052.tif 000004
【図４】
0005067052.tif 000005